【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
制御情報の第1のサブセットに少なくとも部分的に基づいて、第1の制御情報セグメンテーションを生成するステップと、
前記制御情報の前記第1のサブセットおよび前記制御情報の第2のサブセットをジョイント符号化したことに少なくとも部分的に基づいて、第2の制御情報セグメンテーションを生成するステップと、
第1のコードワードを生成するために前記第1の制御情報セグメンテーションを、および第2のコードワードを生成するために前記第2の制御情報セグメンテーションをポーラ符号化するステップと、
前記第1のコードワードおよび前記第2のコードワードを送信するステップとを含む、方法。
【請求項２】
優先度に少なくとも部分的に基づいて、前記第1のサブセットおよび前記第2のサブセットに前記制御情報を割り振るステップをさらに含む、請求項1に記載の方法。
【請求項３】
前記制御情報の前記第1のサブセットおよび前記制御情報の前記第2のサブセットをジョイント符号化することは、
前記制御情報の前記第1のサブセットおよび前記制御情報の前記第2のサブセットに少なくとも部分的に基づいて、誤り検出コード(EDC)を決定することを含み、
前記第2のコードワードを生成するために前記第2の制御情報セグメンテーションをポーラ符号化するステップは、サブチャネルの信頼度順に少なくとも部分的に基づいて、複数の凍結ビット、前記EDCのビット、前記制御情報の前記第1のサブセットのビット、および前記制御情報の前記第2のサブセットのビットを、ポーラ符号のそれぞれの前記サブチャネル中にロードするステップをさらに含む、または、
前記第2の制御情報セグメンテーションは、前記EDCのビット、前記制御情報の前記第1のサブセットのビット、および前記制御情報の前記第2のサブセットのビットを含む、または、
前記第2の制御情報セグメンテーションは、前記EDCのビットおよび前記制御情報の前記第2のサブセットのビットを含む、請求項1に記載の方法。
【請求項４】
前記第1の制御情報セグメンテーションを生成するステップは、
前記制御情報の前記第1のサブセットに少なくとも部分的に基づいて、誤り検出コード(EDC)を決定するステップをさらに含む、請求項1に記載の方法。
【請求項５】
前記第1のコードワードを生成するために前記第1の制御情報セグメンテーションをポーラ符号化するステップは、サブチャネルの信頼度順に少なくとも部分的に基づいて、複数の凍結ビット、前記EDCのビット、および前記制御情報の前記第1のサブセットのビットを、ポーラ符号のそれぞれの前記サブチャネル中にロードするステップを含む、または、
前記第1の制御情報セグメンテーションは、前記EDCのビットおよび前記制御情報の前記第1のサブセットのビットを含む、請求項4に記載の方法。
【請求項６】
前記制御情報の前記第1のサブセットに少なくとも部分的に基づいて、ハイブリッドリードマラーポーラ(RMポーラ)符号を生成するステップをさらに含み、前記第1の制御情報セグメンテーションは前記RMポーラ符号のビットを含む、請求項1に記載の方法。
【請求項７】
前記第1のコードワードを生成するために前記第1の制御情報セグメンテーションをポーラ符号化するステップは、
サブチャネルの信頼度順に少なくとも部分的に基づいて、複数の凍結ビットおよび前記RMポーラ符号の前記ビットを、ポーラ符号のそれぞれの前記サブチャネル中にロードするステップを含む、または、
前記RMポーラ符号を生成するステップは、
コード化ブロックサイズに少なくとも部分的に基づいて生成行列を取得するステップと、
ハミング距離を超える重みをもつ前記生成行列の行の数が少なくとも、前記制御情報の前記第1のサブセットのビットの数と同じであるような前記ハミング距離を決定するステップと、
ポーラ符号の複数のサブチャネルの各サブチャネルの信頼度に少なくとも部分的に基づいて、前記生成行列の前記行のサブセットを選択するステップと、
前記制御情報の前記第1のサブセットを、前記行の前記選択されたサブセットにマップするステップとを含む、請求項6に記載の方法。
【請求項８】
前記制御情報の前記第1のサブセットおよび前記制御情報の前記第2のサブセットに少なくとも部分的に基づいて、第1の誤り検出コード(EDC)を決定するステップと、
前記制御情報の前記第1のサブセットに少なくとも部分的に基づいて、第2の誤り検出コード(EDC)を決定するステップであって、前記第1のEDCのビット長は前記第2のEDCのビット長とは異なる、ステップとをさらに含む、請求項1に記載の方法。
【請求項９】
ワイヤレス通信のための方法であって、
第1のポーラ符号化コードワードを復号したことに少なくとも部分的に基づいて、制御情報の第1のサブセットに対応する第1のビットシーケンスを決定するステップと、
第2のポーラ符号化コードワードを復号したことに少なくとも部分的に基づいて、誤り検出コード(EDC)および前記制御情報の第2のサブセットに対応する第2のビットシーケンスを決定するステップと、
前記決定されたEDCに少なくとも部分的に基づいて、前記第1のビットシーケンスおよび前記第2のビットシーケンスに対して誤り検出を実施するステップと、
前記誤り検出に少なくとも部分的に基づいて、前記第1のビットシーケンスと前記第2のビットシーケンスの組合せまたは復号誤りのうちの1つを出力するステップとを含む、方法。
【請求項１０】
前記第1のポーラ符号化コードワードを復号するステップは、
コードツリーを通る複数の候補経路を決定するステップと、
前記複数の候補経路のうちのある候補経路を選択するステップと、
前記選択された候補経路から、前記第1のビットシーケンスおよび第2のEDCを取得するステップと、
前記第2のEDCに少なくとも部分的に基づいて、前記第1のビットシーケンスが誤り検出にパスすると決定するステップとをさらに含む、請求項9に記載の方法。
【請求項１１】
前記第2のポーラ符号化コードワードを復号するステップは、
逐次消去リスト(SCL)復号アルゴリズムにおいて、前記第1のビットシーケンスを凍結ビットとして設定するステップと、
前記SCL復号アルゴリズムに少なくとも部分的に基づいて、第2のコードツリーを通る第2の複数の候補経路を決定するステップと、
前記第2の複数の候補経路のうちのある第2の候補経路を選択するステップと、
前記第2の候補経路から、前記第1のビットシーケンス、前記第2のビットシーケンス、および前記決定されたEDCを取得するステップとをさらに含み、
前記第2のポーラ符号化コードワードを復号するステップは、
前記第1のビットシーケンスおよび前記第2のビットシーケンスに少なくとも部分的に基づいてEDCを算出するステップをさらに含み、前記誤り検出を実施するステップは、前記算出されたEDCと前記決定されたEDCの比較に少なくとも基づく、請求項10に記載の方法。
【請求項１２】
前記第2のポーラ符号化コードワードを復号するステップは、
逐次消去リスト(SCL)復号アルゴリズムに少なくとも部分的に基づいて、第2のコードツリーを通る第2の複数の候補経路を生成するステップと、
前記第2の複数の候補経路のうちのある第2の候補経路を選択するステップと、
前記第2の候補経路から、前記第2のビットシーケンスおよび前記決定されたEDCを取得するステップと、
前記第1のビットシーケンスおよび前記第2のビットシーケンスに少なくとも部分的に基づいてEDCを算出するステップであって、前記誤り検出を実施するステップは、前記算出されたEDCと前記決定されたEDCの比較に少なくとも基づく、ステップとをさらに含む、請求項10に記載の方法。
【請求項１３】
前記第1のポーラ符号化コードワードを復号するステップは、
コードツリーを通る複数の候補経路を決定するステップと、
前記複数の候補経路のうちのある候補経路を選択するステップと、
前記選択された候補経路から、前記第1のビットシーケンスおよび第2のEDCを取得するステップと、
前記第2のEDCに少なくとも部分的に基づいて、前記第2のポーラ符号化コードワードの復号の早期終了に対する判定を行うステップとをさらに含む、または、
前記第2のポーラ符号化コードワードを復号するステップは、
逐次消去リスト(SCL)復号アルゴリズムにおいて、前記第1のビットシーケンスを凍結ビットとして設定するステップと、
前記SCL復号アルゴリズムに少なくとも部分的に基づいて、コードツリーを通る複数の候補経路を生成するステップと、
前記複数の候補経路のうちのある候補経路を選択するステップと、
前記選択された候補経路から、前記第2のビットシーケンスおよび前記決定されたEDCを取得するステップと、
前記第1のビットシーケンスおよび前記第2のビットシーケンスに少なくとも部分的に基づいてEDCを算出するステップであって、前記誤り検出を実施するステップは、前記算出されたEDCと前記決定されたEDCの比較に少なくとも基づく、ステップとをさらに含む、または、
前記第1のポーラ符号化コードワードを復号するステップは、
コードツリーを通る複数の候補経路を決定するステップと、
前記複数の候補経路のうちのある候補経路を選択するステップと、
前記選択された候補経路から前記第1のビットシーケンスを取得するステップとをさらに含み、
前記第2のポーラ符号化コードワードを復号するステップは、
逐次消去リスト(SCL)復号アルゴリズムに少なくとも部分的に基づいて、第2のコードツリーを通る第2の複数の候補経路を生成するステップと、
前記第2の複数の候補経路のうちのある第2の候補経路を選択するステップと、
前記選択された第2の候補経路から、前記第2のビットシーケンスおよび前記決定されたEDCを取得するステップと、
前記第1のビットシーケンスおよび前記第2のビットシーケンスに少なくとも部分的に基づいてEDCを算出するステップであって、前記誤り検出を実施するステップは、前記算出されたEDCと前記決定されたEDCの比較に少なくとも基づく、ステップとをさらに含む、請求項9に記載の方法。
【請求項１４】
ワイヤレス通信のための装置であって、
制御情報の第1のサブセットに少なくとも部分的に基づいて、第1の制御情報セグメンテーションを生成するための手段と、
前記制御情報の前記第1のサブセットおよび前記制御情報の第2のサブセットをジョイント符号化したことに少なくとも部分的に基づいて、第2の制御情報セグメンテーションを生成するための手段と、
第1のコードワードを生成するために前記第1の制御情報セグメンテーションを、および第2のコードワードを生成するために前記第2の制御情報セグメンテーションをポーラ符号化するための手段と、
前記第1のコードワードおよび前記第2のコードワードを送信するための手段とを備える、装置。
【請求項１５】
ワイヤレス通信のための装置であって、
第1のポーラ符号化コードワードを復号したことに少なくとも部分的に基づいて、制御情報の第1のサブセットに対応する第1のビットシーケンスを決定するための手段と、
第2のポーラ符号化コードワードを復号したことに少なくとも部分的に基づいて、誤り検出コード(EDC)および前記制御情報の第2のサブセットに対応する第2のビットシーケンスを決定するための手段と、
前記決定されたEDCに少なくとも部分的に基づいて、前記第1のビットシーケンスおよび前記第2のビットシーケンスに対して誤り検出を実施するための手段と、
前記誤り検出に少なくとも部分的に基づいて、前記第1のビットシーケンスと前記第2のビットシーケンスの組合せまたは復号誤りのうちの1つを出力するための手段とを備える、装置。